(57)【特許請求の範囲】
【請求項１】
難燃性材料から形成されて電子部品を収容すると共に、上面部(１６)に上昇気流を放出する開口(１７,１８,１９,２０)を有する電装品箱(１)と、
上記開口(１７,１８,１９,２０)の一部に臨むように上記電装品箱（１)内に配置されると共に、下面側に電子部品（３６，３７）を搭載したアルミニウム製のヒートシンク(２５,２６)とを備え、このヒートシンク(２５,２６)は、上記電子部品（３６，３７）と上記開口(１７,１８,１９,２０)の上記一部との間に配置されて炎を遮ることが可能であることを特徴とする電装品箱アッセンブリー。
【請求項２】
請求項１に記載の電装品箱アッセンブリーにおいて、
上記ヒートシンク(２５,２６)の直下に、このヒートシンク(２５,２６)に対して隙間を空けて配置された電子部品（３１，３２，３３）をさらに備え、上記ヒートシンク(２５,２６)は、上記電子部品（３１，３２，３３）と上記開口(１７,１８,１９,２０)の上記一部との間に配置されて炎を遮ることが可能であり、
さらに、上記ヒートシンク（２５，２６）の上面と電装品箱（１）の上面部（１６）の下面との間には隙間を設けている
ことを特徴とする電装品箱アッセンブリー。
【発明の詳細な説明】
【０００１】
【発明の属する技術分野】
この発明は、例えば、空気調和機等に使用される電装品箱アッセンブリーに関する。
【０００２】
【従来の技術】
従来より、この種の電装品箱アッセンブリーは、難燃性樹脂や金属等の難燃性材料からなる電装品箱内にパワートランジスターや電解コンデンサ等の電子部品を配置している。そして、この電装品箱の上面部は密閉構造にして、電子部品が発火しても、それから立ち上る炎が電装品箱の密閉した上面部に遮られて延焼が起きないようにする一方、電装品箱の下面部及び側面部に通気用の開口を設けて、電子部品を冷却するようにしている。
【０００３】
【発明が解決しようとする課題】
ところで、最近、大型の空気調和機において、電子部品が大出力(例えば９０Ｗ)、大容量になると、単に電装品箱を大きくして、その下面部及び側面部に通気用の開口を開けただけでは、電子部品を十分に冷却できないという問題があることが分かった。
【０００４】
そこで、電装品箱の上面部に開口を開けると、大出力、大容量の電子部品であっても十分に冷却することができるが、電子部品が発火したときに、炎が外部に拡がるという問題がある。
【０００５】
そこで、この発明の目的は、大出力、大容量の電子部品であっても十分に冷却することができ、しかも、もし、電子部品から炎が立ち上ってもその炎が外部に漏れ出るのを防止できる電装品箱アッセンブリーを提供することにある。
【０００６】
【課題を解決するための手段】
上記目的を達成するため、請求項１の発明の電装品箱アッセンブリーは、
難燃性材料から形成されて電子部品を収容すると共に、上面部に上昇気流を放出する開口を有する電装品箱(１)と、
上記開口の一部に臨むように上記電装品箱内に配置されると共に、下面側に電子部品を搭載したアルミニウム製のヒートシンクとを備え、このヒートシンクは、上記電子部品と上記開口の上記一部との間に配置されて炎を遮ることが可能であることを特徴としている。
また、請求項２の発明の電装品箱アッセンブリーは、
請求項１に記載の電装品箱アッセンブリーにおいて、
上記ヒートシンクの直下に、このヒートシンクに対して隙間を空けて配置された電子部品をさらに備え、上記ヒートシンクは、上記電子部品と上記開口の上記一部との間に配置されて炎を遮ることが可能であり、
さらに、上記ヒートシンク（２５，２６）の上面と電装品箱（１）の上面部（１６）の下面との間には隙間を設けていることを特徴としている。
【０００７】
上記構成によれば、電子部品からの熱によって加熱された上昇気流は電装品箱の上面部の開口の他の一部を通ってスムーズに外部に放出される。さらに、上記開口の一部にヒートシンクが臨んでいるから、そのヒートシンクからの輻射熱は直接開口を通って外部に放出される。したがって、上記電子部品は十分に冷却される。
【０００８】
また、上記電子部品が発火して炎が立ち上っても、電装品箱の上面部の開口の一部をアルミニウム製のヒートシンクが塞いでいるから、炎が電装品箱の外部に漏れにくい。特に、上記ヒートシンク下面の電子部品が発火しても、その電子部品からの炎はヒートシンクに遮られて開口から外部に出にくい。したがって、延焼を防止できる。
【０００９】
【発明の実施の形態】
以下、この発明を図示の実施の形態により詳細に説明する。
【００１０】
図１に示すように、この電装品箱１は難燃性樹脂製の電装品箱本体２と難燃性樹脂製の前蓋３とからなる。この前蓋３は係止部４,５によって電装品箱本体２に取り外し可能に固定している。上記電装品箱本体２の側面部７，８に夫々通気用の開口１１,１２を設けている。
【００１１】
一方、図２に示すように、上記電装品箱本体２の上面部１６には、前後方向に互いに平行に延びる細長い開口１７,１８,１９,２０を設けている。上記電装品箱本体２の側面部７にはプリント基板２３を取り付けている。このプリント基板２３には、図３に示すように、トランジスター３１,３５、電解コンデンサー３２,３３、コネクタ３４、抵抗等の電子部品を搭載している。
【００１２】
また、上記プリント基板２３には、アルミニウム製のヒートシンク２５，２６を固定し、このヒートシンク２５を電装品箱本体２の上面部１６の細長い開口１７，１８の一部に臨ませ、ヒートシンク２６を細長い開口１９,２０の一部に臨ませている。これらのヒートシンク２５，２６の上面と電装品箱２の上面部１６の下面との間には僅かな隙間を設けている。また、上記ヒートシンク２５、２６の下面側、すなわち、裏面側には、パワートランジスター３６,３７を固定している。さらに、上記ヒートシンク２６の真下に位置するように、大容量の電解コンデンサー３２をプリント基板２３に固定している。
【００１３】
上記構成によれば、電装品箱１の通気用の開口１１,１２,１７,１８,１９,２０を通る気流と輻射熱とによって電子部品からの熱は外部に放出される。特に、電子部品からの熱によって生じる上昇気流は電装品箱本体２の上面部１６の細長い開口１７,１８,１９,２０を通ってスムーズに外部に放出される。さらに、上記開口１７,１８の各一部にアルミニウム製のヒートシンク２５が臨み、開口１９,２０の各一部にヒートシンク２６が臨んでいるから、これらのヒートシンク２５,２６からの輻射熱は直接開口１７,１８,１９,２０を通って外部に放出される。したがって、上記電子部品は十分に冷却される。
【００１４】
また、上記電子部品が発火して炎が立ち上っても、電装品箱本体２の上面部１６の開口１７,１８,１９,２０の各一部を夫々アルミニウム製のヒートシンク２５,２６が塞いでいるから、炎が電装品箱１の外部に漏れにくい。特に、上記ヒートシンク２５,２６の下面のパワートランジスター３６,３７等やヒートシンク２６直下の電解コンデンサ３２が発火しても、それらからの立ち上る炎はヒートシンク２５,２６に遮られて上面部１６の開口１７,１８,１９,２０から外部に出にくい。したがって、延焼を防止できる。
【００１５】
上記実施の形態では、電装品箱は、前蓋を電装品箱本体から取り外せるようにしているが、側面部、上面部あるいは下面部を電装品箱本体から取り外せるようにしてもよい。
【００１６】
また、上記実施の形態では、電装品箱の上面部の各開口の一部にアルミニウム製のヒートシンクを臨ませているが、電装品箱の上面部の開口は一つであってもよい。
【００１７】
【発明の効果】
以上より明らかなように、請求項１の発明の電装品箱アッセンブリーは、難燃性材料から形成されて電子部品を収容する電装品箱の上面部に開口を設けると共に、上記開口の一部に臨むようにアルミニウム製のヒートシンクを設け、このヒートシンクの下面側に電子部品を設けているので、電子部品からの熱によって加熱された上昇気流は電装品箱の上面部の開口の他の一部を通ってスムーズに外部に放出でき、また、上記開口の一部にヒートシンクが臨んでいるから、そのヒートシンクからの輻射熱は直接開口を通って外部に放出でき、したがって、電子部品を十分に冷却することができる。
【００１８】
また、上記電子部品が発火して炎が立ち上っても、電装品箱の上面部の開口の一部をアルミニウム製のヒートシンクが塞いでいるから、炎が電装品箱の外部に漏れにくい。特に、上記ヒートシンク下面側の電子部品が発火しても、その電子部品からの炎はヒートシンクに遮られて開口から外部に出にくい。したがって、延焼を防止できる。
【図面の簡単な説明】
【図１】  この発明の実施の形態の電装品箱アッセンブリーの電装品箱の分解斜視図である。
【図２】  この発明の実施の形態の電装品箱アッセンブリーの平面図である。
【図３】  プリント基板およびヒートシンクの斜視図である。
【符号の説明】
１…電装品箱、  ２…電装品箱本体、  ３…前蓋、  １６…上面部、  １７,１８,１９,２０…開口、  ２５,２６…ヒートシンク。
【図１】
0003772488.tif 000002
【図２】
0003772488.tif 000003
【図３】
0003772488.tif 000004